(57)【要約】      （修正有）【課題】装着しやすく外れにくいブレスレットを提供する。【解決手段】ブレスレットを手首に対して本体の表面を巻きつけ、本体の一端１ａを摘まんでフック３を当該一端１ａ近傍の所定の穴２に入れる。そして、穴２から出た係止片４の先端４ａを引っ張り、その後端４ｂも合わせて穴２を通過させ、係止片４全体を本体の他端１ｂとは反対側に引き出す。これにより、本体の一端１ａと他端１ｂとがフック３及び穴２により係止状態になって連結される。続いて、全体を手首にそって裏返すことで表面が外側に現れる。係止片４が穴２を通過して外れるには当該係止片４がＹ状に変形しなければならないところ、係止面が本体裏面の手首側にあるためそのような変形が阻害されるので、フック３が穴２にしっかり係止して外れにくい。【選択図】図４
0003192837.tif 000002
【実用新案登録請求の範囲】
【請求項１】
弾性体からなる帯板状の本体の一端側に複数の穴を当該本体の長手方向に設けると共に前記本体の他端裏面に前記穴に挿通可能なフックを有し、当該フックは、長手方向の寸法が前記穴の寸法より大きい係止片と、この係止片の下面に設けられ且つ前記本体の他端近傍との間を連結すると共に前記穴に挿通可能な大きさを有する連結部とを備えていることを特徴とするブレスレット。
【請求項２】
更に、前記本体には、長手方向に長穴が形成されていることを特徴とする請求項１に記載のブレスレット。
【請求項３】
前記係止片の先端は、前記本体の他端から当該本体の長手方向に突出していることを特徴とする請求項１又は２に記載のブレスレット。
【請求項４】
更に、前記本体は、マイナスイオンを発生させる樹脂で構成されていることを特徴とする請求項１〜３のいずれか一つに記載のブレスレット。
【考案の詳細な説明】
【技術分野】
【０００１】
本考案は、マイナスイオンを発生させるブレスレットに関するものである。
【背景技術】
【０００２】
従来から下記特許文献１に記載されているようなリストバンドが知られている。このリストバンドは、帯状本体部と、この帯状本体部の両端に互いを着脱自在に固定する固定手段とを有しており、前記固定手段はスナップボタンによって構成され、帯状本体部の一端に雄スナップボタンを設け、他端に雌スナップボタンを設けた構成である。帯状本体部は、ポリエステルやナイロンなどの合成繊維からなる布や不織布などから構成される。このリストバンドでは、前記スナップボタンにより、帯状のリストバンドの装着を簡単にすると共に、強固な係着を可能としている。
【先行技術文献】
【特許文献】
【０００３】
【特許文献１】登録実用新案第３１２６６７６号公報
【考案の概要】
【考案が解決しようとする課題】
【０００４】
しかしながら、上記従来のリストバンドでは、リストバンドを手首に巻いて前記雄スナップボタンと雌スナップボタンとを重ねて押しつけるとき、手首の表面が沈んでしまうのでスナップボタンを係着し難いという問題点があった。また、強く引っ張るとスナップボタンが外れやすいという問題点があった。この考案は、係る問題点を解決するためになされたものである。
【課題を解決するための手段】
【０００５】
本考案に係るブレスレットは、弾性体からなる帯板状の本体の一端側に複数の穴を当該本体の長手方向に設けると共に前記本体の他端裏面に前記穴に挿通可能なフックを有し、当該フックは、長手方向の寸法が前記穴の寸法より大きい係止片と、この係止片の下面に設けられ且つ前記本体の他端近傍との間を連結すると共に前記穴に挿通可能な大きさを有する連結部とを備えていることを特徴とする。
【０００６】
なお、前記本体には、長手方向に長穴が形成されるようにするのが好ましい。また、前記係止片の先端は、前記本体の他端から当該本体の長手方向に突出させるようにするのが好ましい。更に、前記本体は、マイナスイオンを発生させる樹脂で構成するのが好ましい。
【図面の簡単な説明】
【０００７】
【図１】この考案の実施の形態に係るブレスレットを示す平面図である。
【図２】図１に示したブレスレットを示す側面図である。
【図３】図１に示したブレスレットの底面図である。
【図４】このブレスレットの使用方法を示す説明図である。
【考案を実施するための形態】
【０００８】
図１は、この考案の実施の形態に係るブレスレットを示す平面図である。図２は、図１に示したブレスレット１００を示す側面図である。図３は、図１に示したブレスレット１００の底面図である。このブレスレット１００は、シリコンラバー等の弾性体からなる帯板状の本体１の一端１ａ側に５個の穴２を前記本体１の長手方向に設けると共に前記本体１の他端１ｂ裏面近傍に前記穴２に挿通可能なフック３を有する。本体１の表面には、適宜デザイン等を施すものとする。
【０００９】
また、前記フック３は、長手方向の寸法が前記穴２の寸法より大きい係止片４と、この係止片４の下面に設けられ且つ前記本体１の他端１ｂとの間を連結すると共に前記穴２に挿通可能な大きさを有する連結部５とからなる。この係止片４と連結部５により長手方向の断面形状が略Ｔ字形状となる。
【００１０】
本体１は、略帯状であるが、全体的に幅方向に向かって中央付近が一部湾曲している。前記穴２は、長穴でありその長手方向は本体１の幅方向と同じである。穴２の長さ及び幅は、フック３の係止片４が通過可能であり且つ連結部５が挿通可能な大きさとなる。なお、全体が弾性体からなるため、穴２の大きさよりフック３の大きさが僅かに大きくても、係止片４及び連結部５を挿通可能である。要するに、係止片４が本体１の反対側に突出して穴２に係止することで取れ難くなり、引っ張ったときに連結部５の腰の強さと係止片４の係止によりフック３が穴２から外れないようになれば良い。
【００１１】
フック３の係止片４は、全体が爪形状ないし小判形状となっており、先端４ａが湾曲している。これにより、係止片４の先端４ａを穴２に挿入しやすくなっている。係止片４の厚さは、本体１の厚さと略同じとすることで高い剛性を確保するものとする。後端４ｂも若干湾曲形状となる。この後端４ｂは、係止片４を穴２に通して反対側に出したときに十分な係止効果を持たせる必要があるため、連結部５から先端４ａまでの長さをある程度確保するものとする。
【００１２】
前記連結部５は、係止片４の下側から延出して本体１に対して連結している。連結部５は、腰を強くするため太さは、本体１の厚さ以上とするのが好ましい。また、水平方向断面は、前記穴２と相似形とする。これにより、前記穴２に挿通した際に穴２と上手くフィットしてフック３が外れ難くなる。連結部５の長さは、本体１の厚さと略同じとする。これにより、フック３に遊びができるのを防止し、より外れ難さを高めることができる。連結部５は、本体１の他端１ｂであって前記係止片４の後端４ｂ側に設けられる。これにより係止片４の先端４ａ側は本体１の他端１ｂから突出することになる。このようにフック３の係止片４が本体１の他端１ｂから突出することで、当該フック３を穴２に挿入する際に本体１の他端１ｂが邪魔にならならず、フック３を穴２に係止し易くなる。
【００１３】
また、本体１の中央の湾曲部分の左右側であって前記穴２及びフック３の近傍には、長穴６が設けられる。この長穴６は、本体１の長手方向に沿って形成され、本体１の幅方向断面を小さくする。これにより、本体１を引っ張ったときこの長穴６が設けられた部分が特に良く伸びるようになる。
【００１４】
前記穴２及び長穴６の角にはアールを設ける。これにより、伸ばした際に穴２及び長穴６の角から亀裂が発生するのを防止する。本体１の全長は、一般的な手首の周囲長より多少長めに設定する。前記穴２は合計５個設けられ、その穴２と穴２との間隔は４ｍｍ〜７ｍｍ程に設定するものとし、ユーザの手首の周囲長に合わせて適切な長さに調整できるようにする。なお、穴２の個数は５個に限定されるものではない。
【００１５】
また、このブレスレット１００は全体にブラスト処理が施され、或いは、成形時にシボ加工が施される。これにより、さらさらした感触が得られ滑りやすくなる。このため、穴２に対してフック３を挿入させやすい。なお、フック３及び穴２の周囲を除く部分のみをマット処理するようにしても良い。換言すれば、フック３及び穴２の周囲を鏡面加工又は平滑面状態にすることで相互の吸着性を向上させ、フック３と穴２（本体１端部）との係止状態が強固になるようにしても良い。
【００１６】
本体１を形成する素材はシリコンであり、このシリコンにはマイナスイオンを発生させる元素が含まれている。このようなマイナスイオンを発生させるシリコンとしては市販又は公知のシリコン樹脂を使用できる。例えば、特開２００４−２１０９０５号公報に記載の樹脂等が知られている。
【００１７】
図４は、このブレスレット１００の使用方法を示す説明図である。このブレスレット１００を手首に装着するにあたり、図４（ａ）に示すように、まず手首に対して本体１の表面を巻きつける。このとき、本体１の他端１ｂを手首の所望の位置に軽く押し付け、図４（ｂ）に示すように、本体１の一端１ａを摘まんでフック３を当該一端１ａ近傍の所定の穴２に入れる。このとき、手首の周囲長に合わせて適切な穴２を選択するものとする。そして、図４（ｃ）に示すように、穴２から出た係止片４の先端４ａを引っ張り、その後端４ｂも合わせて穴２を通過させ、係止片４全体を本体１の他端１ｂとは反対側に引き出す。これにより、本体１の一端１ａと他端１ｂとがフック３及び穴２により係止状態になって連結される。
【００１８】
続いて、図４（ｄ）に示すように、全体を手首にそって裏返す。これにより、表面が外側に現れる。また、前記係止片４は手首の表面に押し当てられ、面に対して略垂直方向に変形し難くなる。換言すれば、係止片４が穴２を通過して外れるには当該係止片４がＹ状に変形しなければならないところ、係止面が本体１裏面の手首側にあるためそのような変形が阻害されるので、フック３が穴２にしっかり係止して外れにくい。
【００１９】
以上、この考案のブレスレット１００によれば、フック３と穴２との係止構造となるので装着しやすく、且つ、引っ張ってもフック３と穴２とがしっかり係止しているので、外れ難い。
【符号の説明】
【００２０】
１００  ブレスレット
１  本体
１ａ  一端
１ｂ  他端
２  穴
３  フック
４  係止片
５  連結部
６  長穴
【図１】
0003192837.tif 000003
【図２】
0003192837.tif 000004
【図３】
0003192837.tif 000005
【図４】
0003192837.tif 000006